(57)【要約】【課題】  近接した配置になっている第１のカバーと第２のカバーの２つの開閉・着脱検知を、電気的センサをただ一つだけ備えることで実現する構成を提供し、スペース効率・組立性・コスト低減効果等を向上する。【解決手段】  カバーＡには機械的検知手段が備えられており、カバーＡとカバーＢが同時に取り付けられている状態Ｃの場合と状態Ｃ以外の場合とで、その機械的検知手段に備えられるアクチュエータの動作が２通り存在し、このアクチュエータの動作によって電気的検知手段をＯＮまたはＯＦＦさせることによって、カバーＡとカバーＢ双方の着脱状態を検出する構成とする。【選択図】  図１
2007160620.tif 000002
【特許請求の範囲】
【請求項１】
プリンタ装置本体に対して開閉可能な第１のカバーと、
プリンタ装置本体に対して開閉可能な第２のカバーと、
前記第１のカバーおよび第２のカバーの双方が閉じられていることを検知する単一の検知手段と、
前記検知手段が前記第１のカバーおよび第２のカバーの双方が閉じられていることを検知したときにプリンタ装置を可動可能にする制御手段と、
を有することを特徴とするプリンタ装置。
【発明の詳細な説明】
【技術分野】
【０００１】
本発明は、記録媒体に画像が記録されるプリンタ装置に関する。
【背景技術】
【０００２】
プリンタ装置においては、記録媒体の搬送についてジャム（紙詰まり）などの不測の事態を想定して、装置の少なくとも一ヶ所の特定範囲が開閉・着脱可能になっているジャム処理カバーを持ち、このジャム処理カバーを開けて装置外部からジャムしている記録媒体を取り除けるような構造としていることが一般的である。
【０００３】
またこのジャム処理カバーは記録媒体の搬送経路の一部を成していることも多く、ジャム処理後、開いたままの状態では記録媒体の搬送ができなくなる恐れがある。このようなプリンタ装置では、ジャム処理カバーに開閉検知センサを設け、開いている時にはプリンタ装置が作動しない、或いは、ユーザーに閉じるよう音や光で警告を発するなどの対策がとられている。
【０００４】
また、プリンタ装置には、制御・電力供給などのために電気回路基板をもっており電磁波シールドその他の目的で全体が保護カバーで覆われていることが多いが、メモリやネットワークユニットなどの増設・交換などのために保護カバーの一部が電気部品アクセスカバーとなって開閉・着脱できるようになっているものもある。
【０００５】
こうした電気部品アクセスカバーが開いていると電磁波シールド等の効果を損なう可能性があることから、開閉検知センサを設けて前述のジャム処理カバーと同様の対策がとられている。
【０００６】
又、別の従来例としては、特許文献１をあげることが出来る。
【特許文献１】特開平10-217574号公報
【発明の開示】
【発明が解決しようとする課題】
【０００７】
近年、プリンタ装置は、小型化・高集積化が一段と進み、前述したジャム処理カバーと電気部品アクセスカバーも近接した配置になってきている。開閉検知センサとしては、一般に電気的センサが用いられているが、当然電気的センサにはその配線が必要になる。開閉検知センサが増設されると、センサ自身だけではなくその配線及びその取り回しも増え、高集積化が進んでいる装置においてはスペース的にも組立性においてもさらにはコストにおいても不利になってくる。
【０００８】
本発明の目的は、こうした状況に鑑み、近接した配置になっているジャム処理カバーと電気部品アクセスカバーの２つの開閉・着脱検知を、電気的センサをただ一つだけ備えることで実現する構成を提供し、スペース効率・組立性・コスト低減効果等の向上を図るものである。
【課題を解決するための手段】
【０００９】
上記目的を達成するための本発明の構成は、
プリンタ装置本体に対して開閉可能な第１のカバーと、
プリンタ装置本体に対して開閉可能な第２のカバーと、
前記第１のカバーおよび第２のカバーの双方が閉じられていることを検知する単一の検知手段と、
前記検知手段が前記第１のカバーおよび第２のカバーの双方が閉じられていることを検知したときにプリンタ装置を可動可能にする制御手段と、
を有することを特徴とするプリンタ装置である。
【発明の効果】
【００１０】
本発明によれば、近接した配置になっている第１のカバーと第２のカバーの２つの開閉・着脱検知を、電気的センサをただ一つだけ備えることで実現する構成を提供することができ、スペース効率・組立性・コスト低減効果等が向上する。
【発明を実施するための最良の形態】
【００１１】
次に、本発明の詳細を実施例の記述に従って説明する。
【００１２】
本発明にかかるプリンタ装置の実施例について、図を用いて説明する。図１は本実施例装置の全体概略図で、図２〜図４は図１を矢印Ａ方向からみた補助説明図である。
【００１３】
カセット２に積載された記録媒体５は、給紙ローラ４及び分離パッド３によって一枚ずつに分離され、矢印Ｂ１方向へ搬送される。記録媒体５はその後、矢印Ｂ２〜Ｂ４方向の搬送経路において、第１搬送ローラ対７、第２搬送ローラ対８、第３搬送ローラ対９によって搬送力を与えられ、第１搬送ガイド１４、第２搬送ガイド１５、第３搬送ガイド１６、第４搬送ガイド１７、第５搬送ガイド１８、ジャム処理カバー１２によってその搬送方向を規制されながら搬送される。第１搬送ローラ対７と第２搬送ローラ対８との間には画像形成手段１があり、記録媒体５に対してはここを通過するときに画像が形成される。本実施例装置を電気的に制御する電装ユニット１１はシールドケース１０とアクセスカバー１９によって囲われており、アクセスカバー１９は電装ユニット１１に対する部品交換・部品増設などのためにシールドケース１０からビスなどによって着脱可能となっている。記録媒体５の搬送経路の一部を形成しているジャム処理カバー１２も、記録媒体５のジャム処理時のために装置本体から着脱可能である。外装６は、着脱・開閉する部分や記録媒体５の排出部分などを除いて装置全体を覆っている。ジャム処理カバー１２には、アクチュエータ２１が回転軸２２を中心に回動可能に取り付けられており、回転軸２２を中心として矢印Ｃ方向に付勢されている。スイッチセンサ２０は、電装ユニット１１と電気的に接続されていて、ボタン部分（黒色部）が押し込まれているかどうかを電装ユニット１１に検知させる。
【００１４】
このように構成される本実施例装置において、ジャム処理カバー１２及びアクセスカバー１９が装置本体に取り付けられている場合、図２に示すように、アクチュエータ２１の一方の端部Ｅがアクセスカバー１９に当接し、他方の端部Ｆがセンサスイッチ２０を押し込む状態となる。センサスイッチ２０が押し込まれていることを電装ユニット１１が検知すると、本実施例装置はプリンタとしての正常な作動を行うことができる。
【００１５】
ここで、図３に示すように、アクセスカバー１９が装置本体から外されている場合、アクチュエータ２１の端部Ｅが矢印Ｃ方向の付勢力によって図２より大きく回転し端部Ｆがセンサスイッチ２０を押し込めなくなっている。また、図４に示すように、ジャム処理カバー１２が装置本体から外されている場合にはアクチュエータ２１そのものがないため、やはりセンサスイッチ２０は押し込まれることはない。そのため、図３、図４の状態では、電装ユニット１１は、装置本体が正常に作動できる状態ではないと判断して装置を停止させたり、或いは、表示部・発光部・スピーカ（不図示）などから使用者に対して警告メッセージや警告音を発して、取り付けていないパーツがあることを通知する。
【００１６】
これまで説明してきた中で、センサスイッチ２０については、ボタン式を例にしたが、その他の電気的センサ（例えば一般にフォトインタラプタと呼ばれるものなど）による検出も可能であることは自明である。さらにアクチュエータ２１の動作についても、１軸１面内の回転動作による作用を述べてきたが、機械的にアクセスカバー１９の有無によって電気的センサへの入力を２通り与えることができるもの全てを含むことをここに明記する。
【図面の簡単な説明】
【００１７】
【図１】本実施例装置の全体概略図。
【図２】図１を矢印Ａ方向からみた補助説明図。
【図３】図１を矢印Ａ方向からみた補助説明図。
【図４】図１を矢印Ａ方向からみた補助説明図。
【符号の説明】
【００１８】
２  カセット
３  分離パッド
４  給紙ローラ
５  記録媒体
６  外装
１０  シールドケース
１１  電装ユニット
１２  ジャム処理カバー
１９  アクセスカバー
２０  スイッチセンサ
２１  アクチュエータ
２２  回転軸
【図１】
2007160620.tif 000003
【図２】
2007160620.tif 000004
【図３】
2007160620.tif 000005
【図４】
2007160620.tif 000006